(57)【特許請求の範囲】
【請求項１】
ベースに打槌を発射スプリングで弾発するように備え、操作ハンドルの操作に応じて発射スプリングの伸張度を異ならせるようにしたパチンコ球発射装置において、
打槌に打撃を与える発射スプリングと操作ハンドルとの間のベースに該操作ハンドルの操作に応じて回動される連動歯車を備え、
支承部の周面に前記連動歯車に噛合わせる調節歯車部と、上部周面に前記発射スプリングをガイドするガイド部と、該発射スプリングを張架する掛止め部とを一体的に設けた強度調節体をベースに設けた枢軸で支承するとともに該支承部と該枢軸の先端に設けられた受金との間にスプリングを介在して該強度調節体を軸方向に摺動自由に備え、前記強度調節体を前記連動歯車と前記調節歯車部の噛合わせを外した位置で回動調節可能に備え、
前記強度調節体を前記スプリングに抗して引出し所望角度回動して前記強度調節体の調節歯車部と前記連動歯車との噛合わせ位置を変え、発射スプリングの強度を調整しうることを特徴とするパチンコ球発射装置の発射強度調節装置。
【請求項２】
前記強度調節体は、前記支承部と前記ガイド部と前記掛止め部とを抑える抑え部を有する調節カバー体を結合したものである請求項１記載のパチンコ球発射装置の発射強度調節装置。
【請求項３】
強度調節体の上部のガイド部として、突軸を設けて該突軸にガイドローラを回転自由に備えてなる請求項１記載のパチンコ球発射装置の発射強度調節装置。
【請求項４】
前記連動歯車と前記強度調節体の調節歯車部とを傘歯車として、対向して噛合わせた請求項１記載のパチンコ球発射装置の発射強度調節装置。
【発明の詳細な説明】
【０００１】
【発明の属する技術分野】
この発明は操作ハンドルの操作に応じて発射スプリングの伸張度を異ならせるパチンコ球発射装置において、発射スプリングに連動する連動歯車に噛合わせる発射スプリングの伸張度を調節する手段を簡単かつ正確にできるようにしたパチンコ球発射装置の発射強度調節装置に関する。
【０００２】
【従来の技術】
従来、パチンコ球発射装置は図１２に示すように、ベース１の操作ハンドル４に遊戯者の手が触れると打槌２は軸３２を中心に往復動可能に備え、打槌２の中央部に発射スプリング３の一端をかけ、この発射スプリング３の他端を後述の掛止め軸１０５に掛止め打槌２を常時復帰方向へ付勢し、打槌２を往復動させ打槌２の打撃部２ａでパチンコ球を打撃するようにしてある。
【０００３】
前記発射スプリング３の強度調節を行うために、発射スプリングと操作ハンドル４との間のベース１の上部一側に軸３４を貫通して設け、その軸３４の表側に連動歯車５を設け、それに強度調節手段を関連して設け、かつその軸３４の裏側の後端には半円形の規制体３５を設け、操作ハンドル４とプーリ３６を介してワイヤ３７で連結し、操作ハンドルの操作で連動歯車５を回動して強度調節を行うようにしてある。
【０００４】
この強度調節手段として、従来は図１３および図１４に示すように、連動歯車５に噛合わせる調節歯車１０１と発射スプリング３の強度を調節する調節カバー体１０２とを別体とし、カバー体１０２の調節歯車１０１に対する位置を調節して発射スプリングの強度を調節できるようにしてある。
【０００５】
すなわち、調節歯車１０１は周面に前記連動歯車５に噛合わせる歯車部１０１ａと、その歯車部以外の角度領域の前面に調節カバー体１０２と噛合わせる扇形の係合歯１０１ｂを一体形成し、一方調節カバー体１０２は調節歯車１０１にかぶせるもので、上部に発射スプリング３をガイドするガイドローラ１０４の支軸１０３と発射スプリング３を張架する掛止め軸１０５を一体に設け、支軸１０３にガイドローラ１０４を挿入してＥリング１０６で止めて回動自由とし、かつ内面に前記調節歯車１０１の係合歯１０１ｂに噛合わせる扇形の係合歯１０２ｂを形成し、調節歯車１０１をベース１の枢軸１０７に回動自由に備えるとともに調節歯車１０１上に調節カバー体１０２を置き、枢軸１０７の先端の受金１０８との間にスプリング１０９を介在して圧接し、調節カバー体１０２を係合歯１０１ｂ、１０２ｂの係合を外すように軸方向に摺動自由とし、かつ係合歯を外した位置で回動調節するようにしてある。又この調節カバー体１０２の前面には調節摘み１１０をねじで固定してある。
【０００６】
而して、強度調節時には調節摘み１１０をスプリング１０９に抗して引張って前記係合歯１０１ｂ、１０２ｂの係合を外し調節摘み１１０を回わして発射スプリングの伸張度を調節して手を離し、係合歯１０１ｂ、１０２ｂの係合位置を変えて係合させる。
【０００７】
【発明が解決しようとする課題】
前記した従来の発射強度調節装置では、強度を調節する手段として、調節歯車と調節カバー体を別に設けて調節歯車に対する調節カバー体の位置を変位させて強度調節を行うので、構造が甚だ複雑であり、しかも噛合わせ部が多いので誤差が生じやすく、正確に強度調節がしにくいという問題があった。
【０００８】
又、調節カバー体と調節歯車との係合歯の噛合わせ位置を変えるときカバー体で係合歯の噛合わせが隠れて直接視認することができないために、調節歯車の係合歯部の外周部に指針１１１を一体に設け、調節カバー体に目盛１１２を設けなければならず、又調節摘みを繰返し引張って調節するうちに連動歯車、調節歯車、調節カバー体との係合歯の噛合わせ部が摩耗して外れ易くなり、その係合歯１０１ｂ、１０２ｂは浅く細かい歯であるためにかかりが僅かであり、従って僅かの振動等で歯のかかりが外れやすく、遊戯中に打槌の振動等の衝撃で外れて発射スプリングが戻ってしまい、発射スプリングが緩んで遊戯ができなくなる不都合が生ずることがあった。
【０００９】
さらに、発射スプリングをガイドするガイドローラ１０４は支軸１０３に回動自由としてＥリング１０６で止めてあり、又該発射スプリングの端を掛止め軸１０５にねじで止めてあるので、部品数が多く、又ローラの軸は発射スプリングにかかる強度を強くするとき大きな荷重がかかり折損する恐れがある等の問題があった。
【００１０】
この発明は前記した問題を解決するもので、操作ハンドルに連動する連動歯車に強度を調節する強度調節体の歯車を直接噛合わせる構造とし、その噛合わせを見ながら噛合わせる位置を変えるだけで、発射スプリングの伸張度を簡単かつ正確に調節可能とした発射強度調節装置を提供することを主目的とする。
【００１１】
また、調節カバー体を強度調節体に結合して共動するとともに強度調節体のガイド部、掛止め部に被せて発射スプリングを抑えるようにして構成を簡単で製作容易とし、部品数を少なく、製品を安価とすることを別の目的とする。
【００１２】
さらに、連動歯車に噛合わせた強度調節体の調節歯車部を軸方向に少し引くことにより噛合わせを外して調節できるようにすることを別の目的とする。
【００１３】
【課題を解決するための手段】
この発明の請求項１のパチンコ球発射装置の発射強度調節装置は、ベースに打槌を発射スプリングを弾発するように備え、操作ハンドルの操作に応じて発射スプリングの伸張度を異ならせるようにしたパチンコ球発射装置において、打槌に打撃を与える発射スプリングと操作ハンドルとの間のベースに該操作ハンドルの操作に応じて回動される連動歯車を備え、支承部の周面に前記連動歯車に噛合わせる調節歯車部と、上部周面に前記発射スプリングをガイドするガイド部と、該発射スプリングを張架する掛止め部とを一体的に設けた強度調節体をベースに設けた枢軸で支承するとともに該支承部と該枢軸の先端に設けられた受金との間にスプリングを介在して該強度調節体を軸方向に摺動自由に備え、前記強度調節体を前記連動歯車と前記調節歯車部の噛合わせを外した位置で回動調節可能に備え、前記強度調節体を前記スプリングに抗して引出し所望の角度回動して前記強度調節体の調節歯車部と前記連動歯車との噛合わせ位置を変えて強度調節しうることを特徴とする。
【００１４】
前記第１の発明の構成とすることにより、発射スプリングの強度を調節するときは、強度調節体をスプリングに抗して引出して連動歯車との噛合わせを外し、強度調節体を所望の角度回動して調節歯車部の噛合わせ位置を変えて手を離すことによりスプリングの復元力で調節歯車部を連動歯車に噛合わせ、発射スプリングの強度の強弱を調節することができる。
【００１５】
請求項２の発明は、前記強度調節体は、前記支承部と前記ガイド部と前記掛止め部を抑える抑え部を有する調節カバー体を結合したものである。
【００１６】
第２の発明の構成とすることにより、発射スプリングの強度を調節するときは、調節カバー体の支承部を摘んで引張り強度調節体をスプリングに抗して引出して連動歯車との噛合わせを外し、調節カバー体を回して調節歯車部の噛合わせ位置を変えて強度調節を行う。また、ガイド部でガイドし掛止め部に止めた発射スプリングは抑え部で抑えてあるので、外れることがなく、かつ又、ねじ、Ｅリングを使用しないので、部品数を少なくできる。
【００１７】
請求項３の発明は、強度調節体の上部のガイド部として、突軸を設けて該突軸にガイドローラを回転自由に備えてなるものである。
【００１８】
第３の発明の構成とすることにより、ガイド部における摩擦抵抗を小さくして、強度調節時に発射スプリングの伸縮を円滑にさせ、かつ、調節カバー体の抑え部でそのガイドローラにかけて掛止め部に止めた発射スプリングを抜けないように保持できる。
【００１９】
請求項４の発明は、前記連動歯車と強度調節体の調節歯車部とを傘歯車として、対向して噛合わせたものである。
【００２０】
第４の発明の構成とすることにより、強度調節時に強度調節体の調節歯車部と連動歯車との噛合わせの外れる距離を小さくでき、強度調節体を少し引出すだけで、噛合わせを外し強度調節を行うことができる。
【００２１】
【発明の実施の形態】
図１乃至図２において、パチンコ球発射装置はベース１の裏面に駆動軸３０、カム３１を備えて操作ハンドル４に遊戯者の手が触れると駆動軸３０がモータによって回動され、カム３１が回転されて表側の打槌２は軸３２を中心に往復動可能に備え、打槌２の中央部に発射スプリング３の一端をかけ、この発射スプリング３の他端を後述の掛止め軸１０に掛けて打槌２を常時復帰方向へ付勢し、この打槌の中央部に作動片３３を設けて、該作動片３３に前記カム３１を臨ませ、モータの回転によってカム３１を回動し、カム３１で作動片３３を回動して打槌２を往復動させ、打槌の打撃部２ａでパチンコ球を打撃するようにしてある。打槌２の中央部付近と下部にストッパゴム３８、３９が設けてある。
【００２２】
又、ベース１の上部一側に軸３４を貫通して設け、ベースの表側の軸３４の端部に後述の連動歯車５を設け、裏側の軸３４の後端に半円形の規制体３５を設け、操作ハンドル４とプーリ３６を介してワイヤー３７で連結し、操作ハンドル４の操作で連動歯車５を回動し、後述の発射スプリングの強度調節を行うようにしてある。
【００２３】
このパチンコ球発射装置において、図３および図４に発射強度調節装置Ａの実施形態を示す。６は発射スプリング３を張架し、かつ連動歯車５に噛合わせる位置を調節する強度調節体で、下部の支承部７の周面に前記連動歯車５に噛合わせる扇形調節歯車部８と、上部周面に前記発射スプリング３を載せる受面６ａを設け、かつその受面の下部に発射スプリングをガイドする円弧状ガイド部９を設け、その円弧状ガイド部９の端で受面６ａの端部に発射スプリング３の端部を掛止める掛止め軸１０を一体形成し、この強度調節体の支承部７をベース１に設けた枢軸１１に軸支し、円筒状支承部７の凹孔７ａ内にスプリング１３を挿入して枢軸１１の先端に受金１２をねじ１４で止めてある。
【００２４】
而して、発射スプリングの強度調節を行う際には、支承部７を持ち、スプリング１３に抗して引張って調節歯車部８と連動歯車５との噛合わせを外し、噛合わせを変えて調節を行う。
【００２５】
図５乃至図９に示す実施形態で、強度調節体６の前面に調節カバー体１５を結合してある。調節カバー体１５は前記強度調節体６と結合する結合部として、強度調節体６の円筒状支承部７に嵌合しうる円筒部１６を設け、前記抑え部１７として、円弧状ガイド部９に沿った円弧状嵌合部１８および掛止め軸１０の先端に嵌める円形嵌合部１９を設け、調節カバー体１５を前記強度調節体６の前面にかぶせて、強度調節体の取付け部２０に貫通孔２１を通じねじ２２で固定するようにしてある。
【００２６】
而して、発射スプリングの強度調節を行う際には、調節カバー体１５を手で持ち、スプリング１３に抗して引張って調節歯車部８と連動歯車５との噛合わせを外し、その噛合わせ部を見ながら調節カバー体を回わして噛合わせ位置を変えることができる。
【００２７】
図１０の実施形態は、強度調節体６のガイド部をガイドローラ２３とした場合を示す。強度調節体６の受面６ａの下部に突軸２４を設け、その突軸２４にガイドローラ２３を回転自由に備え、かつ受面６ａの端部に掛止め軸１０を設け、一方調節カバー体１５には円筒部１６、抑え部１７に突軸２４と掛止め軸１０に嵌合する嵌合部１８、１９を設け、前記強度調節体６にかぶせ、ねじ２２で固定するようにしてある。
【００２８】
図１１の実施態様は、連動歯車５と強度調節体６の調節歯車部８とを傘歯車として対向して噛合わせ、強度調節体６を鎖線のように軸方向に引き出すとき、短い距離で噛合わせが外れて、強度調節体６を回すことができるようにしてある。
【００２９】
なお、強度調節体、調節カバー体の構成は、上記実施形態に限定されるものではなく、要旨を逸脱しない範囲で変形して実施することができる。
【００３０】
【実施例】
以下に図面に示す実施例を説明する。
実施例１
図３および図４において、強度調節体６は合成樹脂製で、下部の摘み兼用支承部７の周面の約９０度の範囲に調節歯車部８を設け、その歯車部８を軸支する枢軸１１を中心としてその前面に円形の凹孔７ａを有する円筒状支承部７を一体形成し、かつ板状部の上部外周に発射スプリングの受面６ａと、その受面６ａの下に円弧状のガイド部９とを設け、そのガイド部９の端部で、受面６ａの端部に掛止め軸１０を一体形成してある。図４に示すようにこの強度調節体６の調節歯車部８を連動歯車５に噛合わせ、打槌２にかけた発射スプリング３をガイド部９を介して掛止め軸１０に引掛けてセットする。
【００３１】
実施例２
図５乃至図９において、強度調節体６は前記実施例とほぼ同じで、この実施例ではその強度調節体６に調節カバー体１５を結合したものである。この調節カバー体１５も合成樹脂製で、前記強度調節体６の円筒状支承部７に嵌合しうる円筒部１６と、上部の抑え部１７にガイド部９にかぶせる円弧状嵌合部１８と掛止め軸１０の先端に嵌める円形嵌合部１９を設け、円筒部１６の上部で前記強度調節体６の取付け部２０に貫通孔２１を設け、調節カバー体１５の円筒部１６を強度調節体６の円筒部に嵌合するとともにその円弧状嵌合部１８と円形嵌合部１９を強度調節体６のガイド部９と掛止め軸１０にかぶせて、ねじ２２を貫通孔２１より取付け部２０に螺合して結合し、打槌とガイド部９を介して掛止め軸１０に掛けて張架した発射スプリング３をカバー体で抜けないように抑えてある。
【００３２】
前記強度調節体６の調節歯車部８には噛合わせ位置を決めるための印を付ける。すなわち、操作ハンドル４を戻した状態にある連動歯車５の噛合わせる強度調節体６の調節歯車部８に例えば、数字の１、２、３・・を付けておき、発射スプリングの強度を調節するとき、調節カバー体１５を引張って調節歯車部８を連動歯車５より外し、図８に示すように強度調節体を右方へ回動して連動歯車５に対し、例えば数字の３の歯を噛合わせて発射スプリングを強く引張った状態にセットするものである。
【００３３】
実施例３
図１０において、合成樹脂製強度調節体６のガイド部は上部周面の受面６ａの下に突軸２４を設け、その突軸２４に合成樹脂製ガイドローラ２３を回動自由に軸支してある。調節カバー体１５の抑え部にはその突軸２４と掛止め軸１０に嵌合する嵌合部を設ける。
【００３４】
実施例４
図１１の実施形態は、連動歯車５と強度調節体６の調節歯車部８を傘歯車として対向させて噛合わせ、強度調節体６を軸方向に引出すと歯が傾斜状であるためにすぐに外れ、強度調節体を回すことができる。
【００３５】
【発明の効果】
この発明の請求項１の発射強度調節装置によれば、強度調節体を引張って強度調節体と連動歯車の噛合わせを外し、その噛合わせ部を見ながら調節カバー体を回わして噛合わせ位置を変え、打槌と強度調節体のガイド部を介し掛止め軸とに張架した発射スプリングの強度を簡単かつ正確に調節することができるから便利である。
【００３６】
請求項２の発明によれば、調節カバー体を強度調節体と結合して共動し、調節カバー体を摘んで引出し、回動して噛合わせを変えることができ、また調節カバー体を強度調節体のガイド部と掛止め軸に被着することによりガイド部に沿い掛止め軸に掛止めた発射スプリングを抜けないように抑えることができ、ローラ、Ｅリング、ねじ等を要しないので構造が簡単で、部品数を少なくでき、製造も容易で製品の価格を下げることができる。
【００３７】
請求項３の発明によれば、ガイド部をガイドローラとして摩擦抵抗を小さくでき、従って、強度調節時に発射スプリングの伸縮を円滑にさせ、かつ、ガイドローラにかけて掛止め軸に止めた発射スプリングが抜けないようにすることができる。
【００３８】
請求項４の発明によれば、強度調節時に強度調節体を引張る距離を小さくでき、従って復元力を小さくしてよく、支承部と受金との間に介在させるスプリングは弱いもので充分である。
【図面の簡単な説明】
【図１】この発明のパチンコ球発射装置を遊戯盤の裏側より見て示す正面図である。
【図２】同背面図である。
【図３】この発明の第１実施例の強度調節装置を示す正面図である。
【図４】同、強度調節体の斜視図である。
【図５】この発明の第２実施例の強度調節装置を示す正面図である。
【図６】同、縦断面図である。
【図７】同、横断面図である。
【図８】該強度調節装置の強度を強くセットした状態を示す正面図である。
【図９】同、分解斜視図である。
【図１０】強度調節体の別の実施例を示す分解斜視図である。
【図１１】連動歯車と調節歯車部を傘歯車とした実施例を示す横断面図である。
【図１２】従来のパチンコ球発射装置を遊戯盤の裏側より見て示す正面図である。
【図１３】従来の強度調節装置を示す正面図である。
【図１４】同横断面図である。
【符号の説明】
１…ベース、２…打槌、３…発射スプリング、４…操作ハンドル、５…連動歯車、６…強度調節体、７…支承部、８…調節歯車部、９…ガイド部、１０…掛止め部、１１…枢軸、１２…受金、１３…スプリング、１５…調節カバー体、１６…円筒部、１７…抑え部、１８…嵌合部、１９…嵌合部、２３…ガイドローラ。
【図１】
0003641534.tif 000002
【図２】
0003641534.tif 000003
【図３】
0003641534.tif 000004
【図４】
0003641534.tif 000005
【図５】
0003641534.tif 000006
【図６】
0003641534.tif 000007
【図７】
0003641534.tif 000008
【図８】
0003641534.tif 000009
【図９】
0003641534.tif 000010
【図１０】
0003641534.tif 000011
【図１１】
0003641534.tif 000012
【図１２】
0003641534.tif 000013
【図１３】
0003641534.tif 000014
【図１４】
0003641534.tif 000015